(57)【要約】【課題】部品点数を削減し、組立性を向上できる照明器具を提供する。【解決手段】照明器具10は、器具本体11、発光部12、樹脂製の透光カバー13およびセード15を有する。器具本体11は、中央部に設けられた配線器具取付部23、および周辺部に設けられたセード嵌合部22を有する。発光部12は、器具本体11の下面に設けられる。透光カバー13は、発光部12を覆って器具本体11の下面に取り付けられたカバー部41、およびカバー部41から器具本体11のセード嵌合部22に突出されたセード受部46を有する。セード15は、器具本体11のセード嵌合部22に嵌合される開口縁部61、および開口縁部61に設けられセード受部46に対して回動により取り付けられるセード取付部62を有する。【選択図】図１
2016177960.tif 000002
【特許請求の範囲】
【請求項１】
中央部に設けられた配線器具取付部、および周辺部に設けられたセード嵌合部を有する器具本体と；
前記器具本体の下面に設けられた発光部と；
前記発光部を覆って前記器具本体の下面に取り付けられたカバー部、およびこのカバー部から前記器具本体の前記セード嵌合部に突出されたセード受部を有する樹脂製の透光カバーと；
前記器具本体の前記セード嵌合部に嵌合される開口縁部、およびこの開口縁部に設けられ前記セード受部に対して回動により取り付けられるセード取付部を有するセードと；
を具備することを特徴とする照明器具。
【請求項２】
前記器具本体の前記セード嵌合部に設けられ、前記セードの前記セード取付部を回動により取り付ける金属製のセード受具を具備する
ことを特徴とする請求項１記載の照明器具。
【発明の詳細な説明】
【技術分野】
【０００１】
本発明の実施形態は、器具本体に対してセードを回動により取り付ける照明器具に関する。
【背景技術】
【０００２】
従来、例えばシーリングライト等の照明器具では、器具本体の中央部に配線器具に取り付けられる配線器具取付部が設けられ、器具本体の周辺部にセードを回動可能に嵌合するセード嵌合部が設けられている。器具本体の下面側に光源が配置され、セード嵌合部に複数の金属製のセード受具が取り付けられている。
【０００３】
セードには、器具本体のセード嵌合部に回動可能に嵌合される開口縁部が形成され、この開口縁部に器具本体の各セード受具に対して回動により取り付けられる複数のセード取付部が設けられている。
【先行技術文献】
【特許文献】
【０００４】
【特許文献１】特開平１１−２５０７１８号公報
【発明の概要】
【発明が解決しようとする課題】
【０００５】
器具本体にセードを取り付けるのに複数のセード受具を用いているため、部品点数が増加し、組立工数が増加してしまう。
【０００６】
本発明が解決しようとする課題は、部品点数を削減し、組立性を向上できる照明器具を提供することである。
【課題を解決するための手段】
【０００７】
実施形態の照明器具は、器具本体、発光部、樹脂製の透光カバーおよびセードを有する。器具本体は、中央部に設けられた配線器具取付部、および周辺部に設けられたセード嵌合部を有する。発光部は、器具本体の下面に設けられる。透光カバーは、発光部を覆って器具本体の下面に取り付けられたカバー部、およびカバー部から器具本体のセード嵌合部に突出されたセード受部を有する。セードは、器具本体のセード嵌合部に嵌合される開口縁部、および開口縁部に設けられセード受部に対して回動により取り付けられるセード取付部を有する。
【発明の効果】
【０００８】
本発明によれば、部品点数を削減し、組立性を向上することが期待できる。
【図面の簡単な説明】
【０００９】
【図１】一実施形態を示す照明器具の断面図である。
【図２】同上照明器具のセードを外した斜視図である。
【図３】同上照明器具のセードおよび透光カバーを外した斜視図である。
【図４】同上照明器具のセードの下面側を示す斜視図である。
【図５】同上照明器具のセードの上面側を示す斜視図である。
【発明を実施するための形態】
【００１０】
以下、一実施形態を、図１ないし図５を参照して説明する。
【００１１】
図１に示すように、照明器具10は、天井面等の器具取付面に設置された引掛シーリングボディ等の配線器具にアダプタを介して取り付けられるシーリングライトである。
【００１２】
照明器具10は、器具本体11を備えている。器具本体11の下面側には、発光部12、この発光部12を覆う透光カバー13、およびセード受具14がそれぞれ取り付けられているとともに、器具本体11の下面側を覆うセード15が着脱可能に取り付けられる。器具本体11の上面側には、発光部12に電源を供給する電源回路が配設されている。
【００１３】
そして、図１ないし図３に示すように、器具本体11は、金属製で、円盤状に形成されている。器具本体11の中央部には配線器具が挿通可能な円形の開口部20が形成され、この開口部20の周囲には器具本体11の下方に突出して発光部12および透光カバー13を取り付ける環状の取付台部21が形成され、この取付台部21の周辺部であって器具本体11の周辺部にはセード15が回動可能に嵌合する環状のセード嵌合部22が形成されている。そして、器具本体11の中央部が、配線器具に取り付けられる配線器具取付部23として構成されている。
【００１４】
取付台部21の下面には、平面状の取付面24が周方向に沿って複数形成されている。本実施形態では、４つの取付面24が形成され、これら取付面24がそれぞれ外径方向へ向けて傾斜されている。取付台部21には、器具本体11の下面側に配置される発光部12と器具本体11の上面側に配置される電源回路とを電気的に接続する配線を通すための配線孔25が形成されている。
【００１５】
セード嵌合部22は、器具本体11の外周部から下方へ折曲された縁部26を有し、取付台部21と縁部26との間の環状の溝部27によって形成されている。
【００１６】
また、発光部12は、基板30に複数の発光素子31を実装した複数の発光モジュール32が用いられている。複数の発光モジュール32は、取付台部21の複数の取付面24にそれぞれ取り付けられている。発光素子31としては、ＬＥＤや有機ＥＬ等が用いられる。
【００１７】
また、図１、図２、図４および図５に示すように、透光カバー13は、透光性を有する樹脂製で一体に形成されている。透光カバー13は、中央に挿通口40を有する環状のカバー部41を有している。
【００１８】
カバー部41の中央には、アダプタに取り付けられる環状のアダプタガイド部42が形成され、アダプタガイド部42の周囲に器具本体11の下面に固定される環状の固定部43が形成されている。固定部43には、器具本体11にねじ止めするための複数の取付孔44が設けられている。
【００１９】
固定部43の周囲には、器具本体11の取付台部21の内周側、下側および外周側に亘って一体的に覆う環状の覆い部45が形成されている。覆い部45の下面側は、器具本体11の取付面24すなわち取付面24に取り付けられる発光部12から下方に離反するともに、径方向断面が湾曲突出した形状に形成されている。
【００２０】
透光カバー13の外周部から複数のセード受部46が突出されている。セード受部46は、透光カバー13の周方向に三等分した３箇所のうちの２箇所に設けられている。セード受部46は、透光カバー13の外周部から外径方向に突出する板部47を有し、この板部47の上面側で周方向の一端にストッパ部48が立設され、板部47の下面側に補強のための複数のリブ49が設けられている。１つのセード受部46には、板部47の上面に突起50が突設されている。そして、セード受部46は、器具本体11に透光カバー13が取り付けられた状態で、器具本体11のセード嵌合部22に突出されるとともに、器具本体11の下面との間に所定の間隔をあけて配置されており、セード15が回動により取り付けられるように構成されている。
【００２１】
また、図２および図３に示すように、セード受具14は、器具本体11のセード嵌合部22の溝部27の１箇所に設けられている。器具本体11に透光カバー13を取り付けた状態で、周方向に３等分した３箇所のうちの２箇所に、透光カバー13の２つのセード受部46が配置され、残りの１箇所にセード受具14が配置されている。セード受具14は、金属製で、器具本体11にねじ止めによって固定されている。セード受具14は受片14aを有し、この受片14aは器具本体11の下面との間に間隔をあけて配置されるとともに、受片14aの先端側が器具本体11の周方向に向けて配置されている。そして、セード受具14は、セード15が回動により取り付けられるように構成されている。
【００２２】
また、図１および図２に示すように、セード15は、透光性を有する樹脂製で、例えば乳白に形成されている。セード15の上面側には開口部60が形成されているとともに器具本体11のセード嵌合部22に嵌合される開口縁部61が形成され、下面側がなだらかに湾曲突出するようにドーム状に形成されている。
【００２３】
開口縁部61の内周には透光カバー13のセード受部46およびセード受具14に回動により取り付けられる複数のセード取付部62が形成されている。セード取付部62は、周方向に３等分した３箇所に配置され、開口縁部61から内径方向へ膨出された膨出部によって構成されている。
【００２４】
そして、照明器具10を設置する場合には、器具取付面に設置されている配線器具にアダプタを取り付け、アダプタに器具本体11の開口部20および透光カバー13の挿通口40を挿通し、アダプタの側面から突出する一対の爪部上に透光カバー13のアダプタガイド部42を係合させ、器具本体11を器具取付面に設置する。アダプタと電源回路とを電気的に接続する。
【００２５】
セード15を器具本体11の下面側を覆うように被せ、セード15の開口縁部61を器具本体11のセード嵌合部22に嵌合し、セード15を所定の取付方向（図２の矢印方向）に回動させる。これにより、セード15の各セード取付部62が透光カバー13の各セード受部46上およびセード受具14上にそれぞれ移動して引っ掛かり、セード15が器具本体11側に支持される。セード15は、各セード取付部62が透光カバー13の各セード受部46のストッパ部48やセード受具14に当接することにより取付方向への回動が規制され、また、各セード取付部62とセード受部46の突起50との係合やセード受具14と係合によって取付方向に対して反対方向への回動が規制される。
【００２６】
セード15を器具本体11から外すには、セード15を押し上げて各セード取付部62をセード受部46の突起50やセード受具14から浮かせて係合を解除し、取付方向に対して反対方向へ移動させる。
【００２７】
このように本実施形態の照明器具10によれば、透光カバー13にセード受部46を一体に設けることにより、セード受具14を削減できるため、照明器具10の部品点数を削減し、組立性を向上することが期待できる。
【００２８】
さらに、器具本体11の発光部12を覆うように器具本体11に全体的に取り付けられる透光カバー13にセード15を取り付ける構造とすることにより、セード15の支持を安定させることができる。
【００２９】
また、金属製のセード受具14を併用することにより、樹脂部品の劣化に影響なくセード15を確実に支持することができる。
【００３０】
また、透光カバー13には、セード受部46ととともにアダプタガイド部42も一体に形成しているため、部品点数をより低減でき、組立性を向上できる。
【００３１】
なお、セード受具14を用いず、透光カバー13に形成されたセード受部46のみによってセード15を取り付けるようにしてもよい。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
10    照明器具
11    器具本体
12    発光部
13    透光カバー
14    セード受具
15    セード
22    セード嵌合部
23    配線器具取付部
41    カバー部
46    セード受部
61    開口縁部
62    セード取付部
【図１】
2016177960.tif 000003
【図２】
2016177960.tif 000004
【図３】
2016177960.tif 000005
【図４】
2016177960.tif 000006
【図５】
2016177960.tif 000007